(57)【特許請求の範囲】
【請求項１】
第１接続部と、第２接続部と、これらの両接続部を連結した可撓性導電部材と、を有する端子金具と、
前記第１接続部を収容するキャビティを備えたハウジングと、
前記ハウジングの後面に装着され、前記端子金具の前記可撓性導電部材における前記第１接続部との接続端側に対応する挿通孔が前記キャビティと同心に開口されたガイド部材と、からなり、
前記第１接続部は前記可撓性導電部材に接続されたバレルを有し、前記キャビティ内に設けられたランスにより一次係止され、前記バレルが前記挿通孔の孔縁に係止されることで二重に抜け止めされた構成とされており、
前記可撓性導電部材における前記第２接続部との接続端側は、前記挿通孔を通して前記ガイド部材から外方へ引き出されている機器用コネクタ。
【請求項２】
第１接続部と、第２接続部と、これらの両接続部を連結した可撓性導電部材と、を有する端子金具と、
前記第１接続部を収容するキャビティを備えたハウジングと、
前記ハウジングの後面に装着され、前記端子金具の前記可撓性導電部材における前記第１接続部との接続端側に対応する挿通孔が前記キャビティと同心に開口されたガイド部材と、からなり、
前記可撓性導電部材における前記第２接続部との接続端側は、前記挿通孔を通して前記ガイド部材から外方へ引き出されており、
前記ハウジングには複数の前記端子金具が並んで装着されたものであって、
前記ガイド部材の前記挿通孔には、同挿通孔から引き出された前記可撓性導電部材が偏心するように屈曲された場合に、その屈曲部との干渉を回避する逃がし面が形成されている機器用コネクタ。
【請求項３】
第１接続部と、第２接続部と、これらの両接続部を連結した可撓性導電部材と、を有する端子金具と、
前記第１接続部を収容するキャビティを備えたハウジングと、
前記ハウジングの後面に装着され、前記端子金具の前記可撓性導電部材における前記第１接続部との接続端側に対応する挿通孔が前記キャビティと同心に開口されたガイド部材と、からなり、
前記可撓性導電部材における前記第２接続部との接続端側は、前記挿通孔を通して前記ガイド部材から外方へ引き出されており、
前記ハウジングを取付対象である機器に取り付けるための係止板を備え、
前記係止板は前記ハウジングの外面に周設されたフランジの周縁に係止可能な係止孔が開口されるとともに、
前記フランジと前記ハウジングの後面に装着した前記ガイド部材との間で外れ止め状態に保持されたサブアッシイとして構成されている機器用コネクタ。
【請求項４】
前記ガイド部材が、一対の分割ガイド体を組み立てて形成されている請求項１ないし請求項３のいずれか一項に記載の機器用コネクタ。
【請求項５】
第１接続部と、第２接続部と、これらの両接続部を連結した可撓性導電部材と、を有する端子金具と、
前記第１接続部を収容するキャビティを備えたハウジングと、
前記ハウジングの後面に装着され、前記端子金具の前記可撓性導電部材における前記第１接続部との接続端側に対応する挿通孔が前記キャビティと同心に開口されたガイド部材と、からなり、
前記第１接続部は前記可撓性導電部材に接続されたバレルを有し、前記キャビティ内に設けられたランスにより一次係止され、前記バレルが前記挿通孔の孔縁に係止されることで二重に抜け止めされた構成とされており、
前記可撓性導電部材における前記第２接続部との接続端側は、前記挿通孔を通して前記ガイド部材から外方へ引き出されており、
前記ハウジングには複数の前記端子金具が並んで装着されたものであって、
前記ガイド部材の前記挿通孔には、同挿通孔から引き出された前記可撓性導電部材が偏心するように屈曲された場合に、その屈曲部との干渉を回避する逃がし面が形成されており、
前記ハウジングを取付対象である機器に取り付けるための係止板を備え、
前記係止板は前記ハウジングの外面に周設されたフランジの周縁に係止可能な係止孔が開口されるとともに、
前記フランジと前記ハウジングの後面に装着した前記ガイド部材との間で外れ止め状態に保持されたサブアッシイとして構成されており、
前記ガイド部材が、一対の分割ガイド体を組み立てて形成されている機器用コネクタ。
【発明の詳細な説明】
【技術分野】
【０００１】
本発明は、機器のケースに装着されて適用される機器用コネクタに関する。
【背景技術】
【０００２】
電気自動車やハイブリッド車において、モータとインバータとを電気接続するに当たり、モータケースにモータ側端子を備えたモータ側ハウジングを、インバータケースにインバータ側端子を備えたインバータ側ハウジングを互いに対向して設け、モータケースに対しインバータケースを直結することに伴って両ハウジングを嵌合し、すなわち両端子同士を接続するようにした装置が提案されている（例えば下記特許文献１を参照）。
【０００３】
このような装置において、例えばインバータ側では、インバータ側端子におけるインバータ側ハウジングから後方に引き出された側の接続部が、インバータケース内に設けられた端子台を利用してインバータの出力端子とねじ止めにより接続されるようになっているが、インバータ側ハウジングと端子台との間に配設位置のずれが出る可能性があることに鑑み、上記装置ではインバータ側端子の途中位置に編組線を介設し、同編組線の可撓性を利用して位置ずれを吸収するようにしていた。
【先行技術文献】
【特許文献】
【０００４】
【特許文献１】特開２０１１−３４９３５号公報
【発明の概要】
【発明が解決しようとする課題】
【０００５】
上記従来のものでは、インバータ側端子が可撓性を有する編組線を介設した構造であるが故に、例えばインバータ側ハウジングをインバータケースに装着する際に、インバータ側端子が他部材と干渉する等により、編組線が屈曲しつつインバータ側ハウジングから後方に引き出された側の姿勢が変位し、端子台においてインバータの出力端子とねじ止めして接続する作業に手間取る嫌いがあった。
本発明は上記のような事情に基づいて完成されたものであって、その目的は、端子金具の不必要な変形を抑制するところにある。
【課題を解決するための手段】
【０００６】
本明細書によって開示される機器用コネクタは、第１接続部と、第２接続部と、これらの両接続部を連結した可撓性導電部材と、を有する端子金具と、前記第１接続部を収容するキャビティを備えたハウジングと、前記ハウジングの後面に装着され、前記端子金具の前記可撓性導電部材における前記第１接続部との接続端側に対応する挿通孔が前記キャビティと同心に開口されたガイド部材と、からなり、前記可撓性導電部材における前記第２接続部との接続端側は、前記挿通孔を通して前記ガイド部材から外方へ引き出されているところに特徴を有する。
【０００７】
上記構成によれば、可撓性導電部材における第１接続部との接続端側の外周がガイド部材の挿通孔に嵌って拘束されることにより、可撓性導電部材の不必要な変形が抑制され、ひいては端子金具における第２接続部の変位が抑制される。
【０００８】
また、以下のような構成としてもよい。
（１）前記ハウジングには複数の前記端子金具が並んで装着されたものであって、前記ガイド部材の前記挿通孔には、同挿通孔から引き出された前記可撓性導電部材が偏心するように屈曲された場合に、その屈曲部との干渉を回避する逃がし面が形成されている。
並んで配される複数本の端子金具について、ハウジング内に収容される第１接続部側と、ハウジング外に配される第２接続部側とで並列ピッチが異なる設定となる場合がある。そのときは、所定の端子金具について、可撓性導電部材をガイド部材の挿通孔内で逃がし面側に屈曲させつつ、第２接続部側を偏心した形態で延出させることにより、第２接続部側の並列ピッチを変更することに対応できる。
【０００９】
（２）前記ハウジングを取付対象である機器に取り付けるための係止板を備え、前記係止板は前記ハウジングの外面に周設されたフランジの周縁に係止可能な係止孔が開口されるとともに、前記フランジと前記ハウジングの後面に装着した前記ガイド部材との間で外れ止め状態に保持されたサブアッシイとして構成されている。
係止板と機器との間でハウジングのフランジが挟まれた形態で、ハウジングが機器に取り付けられる。ここで、係止板はハウジングに予め嵌合されてフランジで受けられた状態から同ハウジングの後面にガイド部材が装着されることにより、ガイド部材とフランジとの間に挟まれて外れ止めされたサブアッシイの形態で組み込まれ、このサブアッシイの形態で搬入されたのち、上記のように係止板を用いてハウジングが機器に取り付けられる。サブアッシイの状態においては、ガイド部材が係止板の外れ止めとして機能し、したがってサブアッシイの搬送中に係止板が外れることが防止される。
【００１０】
（３）前記ガイド部材が、一対の分割ガイド体を組み立てて形成されている。
ガイド部材は、端子金具に先通しすることなく後から一体化すればよいから、コネクタの組立作業自体が簡易化される。
【発明の効果】
【００１１】
本発明によれば、端子金具の不必要な変形を抑制することができる。
【図面の簡単な説明】
【００１２】
【図１】本発明の一実施形態に係るモータ側コネクタの分解斜視図
【図２】インバータ側コネクタの分解斜視図
【図３】モータ側コネクタの装着構造を示す平面図
【図４】インバータ側コネクタの装着構造を示す平面図
【図５】両コネクタの嵌合前の正面図
【図６】同正断面図（図３と図４のVI−VI線断面図）
【図７】同側面図
【図８】同側断面図（図３と図４のVIII−VIII線断面図）
【図９】インバータ側コネクタの装着動作を示す部分断面図
【図１０】両コネクタの嵌合工程における嵌合開始直前の状態を示す部分断面図
【図１１】嵌合初期の状態を示す部分断面図
【図１２】嵌合中盤の状態を示す部分断面図
【図１３】嵌合完了時の状態を示す部分断面図
【発明を実施するための形態】
【００１３】
＜実施形態＞
本発明の一実施形態を図１ないし図１３に基づいて説明する。
この実施形態では、図５及び図６に示すように、本発明の相手機器であるモータを構成するモータケース１０にはモータ側コネクタ３０が、本発明の機器であるインバータＰＣＵ（以下、単にインバータと言う。）を構成するインバータケース５０にはインバータ側コネクタ６０が上下に対向して装着され、インバータケース５０をモータケース１０上に載置して結合することに伴い、モータ側コネクタ３０とインバータ側コネクタ６０とが嵌合されるようになっている。
モータ側コネクタ３０とインバータ側コネクタ６０は、共に３極のコネクタである。インバータ側コネクタ６０が、本発明の機器用コネクタに相当する。
【００１４】
相手機器であるモータ側について説明する。モータ側コネクタ３０は、図１，図８及び図１０に示すように、３本のモータ側端子３１が、合成樹脂製の雄ハウジング３５内にインサート成形により埋設して装着されている。モータ側端子３１は丸ピンからなる雄端子であって、下端部には、接続孔３２Ａが開口された接続板部３２が形成されている。
【００１５】
雄ハウジング３５は、長円形の筒状をなす上面開口のフード部３６の下面側に端子台３７が連設された形状であって、フード部３６内には、２枚の仕切壁３６Ａが底面から立ち上がり形成されている。
この雄ハウジング３５に対してモータ側端子３１が３本並んで埋設され、各モータ側端子３１の先端がフード部３６内における仕切壁３６Ａで仕切られた３つの領域にそれぞれ突出しているとともに、各モータ側端子３１の接続板部３２は、端子台３７の下端部において露出した形態で並んで配されている。
端子台３７における接続板部３２の裏面側にはそれぞれナット収容孔３８が形成され、各ナット収容孔３８には方形のナット３９が回り止めされて収容され、背面に装着されたホルダ３８Ａにより保持されている。
【００１６】
モータ側コネクタ３０は、図３及び図６に示すように、シールドシェル２０の所定位置に保持された形態において、モータケース１０に装着されるようになっている。
そのため、図１０に示すように、雄ハウジング３５におけるフード部３６の下端部外周には、小径の上フランジ４１と、大径の下フランジ４２とが所定間隔を開けて形成されている。下フランジ４２の内周側と上フランジ４１との間に構成される溝部４３には、第２軸シール４４が嵌着されるようになっている。
【００１７】
シールドシェル２０はアルミダイキャスト製であって、図１に示すように、厚肉の帯板状に形成されている。このシールドシェル２０には、モータ側コネクタ３０を下方から嵌合可能な保持孔２１が形成されている。
保持孔２１は、図１０に示すように、下端側が雄ハウジング３５に形成された下フランジ４２が略緊密に嵌合される大径孔２１Ａで、上端側が上フランジ４１が略緊密に嵌合される小径孔２１Ｂとなった段付孔であり、小径孔２１Ｂの上面の孔縁には同小径孔２１Ｂの内面とほぼ面一に周壁２２が立ち上がり形成されている。大径孔２１Ａは上フランジ４１の厚さよりも大きい深さ（高さ）を有している。
【００１８】
モータ側コネクタ３０は、シールドシェル２０の保持孔２１に下方から嵌合され、下フランジ４２が保持孔２１の段差部２１Ｃに当たったところで嵌合が停止され、そのとき上フランジ４１が、周壁２２の上端部内に達し、雄ハウジング３５の上端部が周壁２２の上方に突出する。また、第２軸シール４４により雄ハウジング３５の外周と保持孔２１の内周との間がシールされるようになっている。
下フランジ４２の下面には、後記するモータケース１０に開口された取付孔１１の上面側の孔縁の外周に押し付けられてシールする面シール４５が装着されているとともに、雄ハウジング３５の先端部の外周には装着溝４６が周設され、同装着溝４６には、後記するインバータケース５０に開口された嵌合凹部５５Ａの内周面との間をシールする第１軸シール４７が装着されている。
【００１９】
シールドシェル２０における保持孔２１の側方には、図１及び図３に示すように、雌ねじ台２４が突出形成されており、同雌ねじ台２４の中心には、後記するインバータケース５０側に装着された締結ボルト１００が螺合されるねじ孔２５が形成されている。
シールドシェル２０の端部と、雌ねじ台２４の両側には、ボルト挿通孔２６が開口されている。
【００２０】
モータケース１０の上面には、図６に示すように、シールドシェル２０の各保持孔２１から下方に突出した雄ハウジング３５の下部側が略緊密に嵌合される２個の取付孔１１が、保持孔２１と同じピッチで開口されている。
シールドシェル２０は、雄ハウジング３５の下部側が対応する取付孔１１に嵌合された形態でモータケース１０の上面に重ねられ、ボルト挿通孔２６にボルト２７が挿通されて、モータケース１０に形成されたねじ孔（図示せず）にねじ込まれることにより固定されるようになっている。両雄ハウジング３５の端子台３７は、モータケース１０内に突出する。
端的には、両モータ側コネクタ３０は、モータケース１０の上面に開口された取付孔１１を貫通した形態において、シールドシェル２０を介して固定的に装着されるようになっている。
【００２１】
次に、本発明の機器であるインバータ側について説明する。
インバータ側コネクタ６０は、図２，図６及び図８に示すように、合成樹脂製の雌ハウジング８０と、雌ハウジング８０に装着される３本のインバータ側端子７０と、同雌ハウジング８０の後端に装着されるガイド部材９０（エンドリテーナとしての機能も兼備）とを備えて構成されている。インバータ側端子７０は、上記したモータ側端子３１と接続される雌端子７１と、インバータの出力端子（図示せず）と接続されるＢＡ端子７２と、両端子７１，７２を連結する編組線７３とから構成されている。
【００２２】
雌ハウジング８０は、モータ側コネクタ３０における雄ハウジング３５内に嵌合可能な外形長円形をなすブロック状に形成されており、同雌ハウジング８０内には、インバータ側端子７０のうちの雌端子７１が収容されるキャビティ８１が３個並んで形成されている。
ガイド部材９０は同じく合成樹脂製であって、図２に示すように、一対の分割ガイド体９１Ａ，９１Ｂを組み立てることで形成され、一体に組み立てられたガイド部材９０は、概ね雄ハウジング３５の上面開口を覆う横長の方形の厚板状に形成されている。
【００２３】
一体化されたガイド部材９０の下面には、図９に示すように、雌ハウジング８０の上端部が緊密に嵌る長円形をなす所定深さの嵌合凹部９２が形成されている。同嵌合凹部９２の天井面には、編組線７３における雌端子７１との接続端を挿通可能な３個の挿通孔９３が、キャビティ８１と同じピッチで、かつキャビティ８１と同心に形成されている。３個の挿通孔９３のうち左右両端の挿通孔９３では、それぞれの並び方向の外側の面（左端の挿通孔９３では左側の面、右端の挿通孔９３では右側の面）が、上方に向けて斜めに開いたテーパ面９４とされている。
【００２４】
図２に示すように、各分割ガイド体９１Ａ，９１Ｂのうち一方の分割ガイド体９１Ａには、長さ方向の両端と、各挿通孔９３の間の位置において、都合４本のロック片９５が突出形成されているとともに、他方の分割ガイド体９１Ｂには、各ロック片９５を受け入れて抜け止めする４個のロック受け部９６が対応位置に形成されている。
各分割ガイド体９１Ａ，９１Ｂにおける嵌合凹部９２の直線状の壁面からは、装着突部９７が一対ずつ突出形成されているとともに、雌ハウジング８０の上端部における直線状の前後の面には、装着突部９７が嵌合される一対ずつの装着凹部８３が穿設されている。
【００２５】
インバータ側コネクタ６０を組み立てるに当たっては、インバータ側端子７０の各雌端子７１が雌ハウジング８０の対応するキャビティ８１に上方から挿入され、キャビティ８１内に設けられたランス８２により一次係止される（図８参照）。続いて、一対の分割ガイド体９１Ａ，９１Ｂが、雌ハウジング８０の上端部を前後に挟んで配され、装着突部９７を装着凹部８３に嵌合し、またロック片９５をロック受け部９６に挿入しつつ対向縁同士が突き合わされ、正規に突き合わされたところでロック片９５がロック受け部９６内で弾性的に係止されることにより、ガイド部材９０が一体に組み立てられる。併せてガイド部材９０は、雌ハウジング８０の上端部を嵌合凹部９２内に嵌めた形態で装着される。ガイド部材９０が装着されると、雌端子７１の上端のバレル７１Ａが各挿通孔９３の下側の孔縁に係止され、すなわち二重に抜け止めされる。
【００２６】
雌端子７１のバレル７１Ａに接続された編組線７３は、ガイド部材９０の挿通孔９３を通って上方に引き出される。この実施形態では、図５及び図６に示すように、３本のインバータ側端子７０について、雌端子７１よりもＢＡ端子７２の方が大きいピッチで配設されるようになっており、そのため図９に示すように、左右両端の２本のインバータ側端子７０では、それぞれの編組線７３が、ガイド部材９０の挿通孔９３の出口部分で左側または右側に屈曲されたのち（屈曲部７３Ａ）、偏心位置で上方に延びた形態に形成される。その際、両端の挿通孔９３にはテーパ面９４が形成されているから、編組線７３は挿通孔９３の内面と干渉することなく上記の屈曲が許容される。
【００２７】
上記したモータ側コネクタ３０は、モータケース１０に対して固定的に装着されるのに対して、インバータ側コネクタ６０は、インバータケース５０に対してフローティング状態で装着されるようになっている。
インバータケース５０は、図５に概略を示すように、本体ケース５１の正面側に、インバータ側コネクタ６０を装着するためのコネクタ装着ケース５２（以下、装着ケース５２）が、所定寸法底上げされた形態で張り出し形成されている。したがって詳細には、インバータ側コネクタ６０は装着ケース５２に対してフローティング状態で装着されている。
【００２８】
インバータ側コネクタ６０をフローティング状態に装着する構造を図６及び図９によって説明する。インバータ側コネクタ６０を構成する雌ハウジング８０における上端寄りの位置には、フランジ８５が全周に亘って張り出し形成されている。
装着ケース５２の底面５２Ａには、下面開口の載置台５５が立ち上がり形成されている。載置台５５は平面略平行四辺形をなし、同載置台５５の内部が、上記したモータ側コネクタ３０を構成する雄ハウジング３５の上端部が嵌合される嵌合凹部５５Ａとされている。
【００２９】
載置台５５における天井壁５６には、雌ハウジング８０を上方から挿通して支持する支持孔５７が開口されている。支持孔５７は、図９に示すように、下側が、雌ハウジング８０の外周をクリアランスを持って嵌合可能な小径孔５８Ａで、上側が、雌ハウジング８０のフランジ８５をクリアランスを持って嵌合可能な大径孔５８Ｂである段付孔となっている。上側の大径孔５８Ｂの深さは、フランジ８５の厚さよりも少し小さい寸法を有している。
なお、各載置台５５における左右の側壁は肉厚に形成されている。
【００３０】
載置台５５上には、金属板製のブラケット７５が被着されるようになっている。ブラケット７５は、載置台５５の上面とほぼ等しい平面形状をなし、図９に示すように、雌ハウジング８０の外周をクリアランスを持って嵌合可能な係止孔７６が開口されている。
ブラケット７５は、係止孔７６の下側の孔縁が、雌ハウジング８０の外周に形成されたフランジ８５の周縁に係止可能で、また同係止孔７６の上側の孔縁が、雌ハウジング８０の後端に装着されたガイド部材９０に係止可能な形態において、上記のフランジ８５とガイド部材９０との間で挟まれるようにして配されている。
ブラケット７５の両端部には、図４に示すように、ねじ挿通孔７７が開口され、同ねじ挿通孔７７に通したねじ７８（図１０参照）を、載置台５５の左右の側壁に形成されたねじ孔（図示せず）に螺合して締め付けることで、ブラケット７５は、その係止孔７６を支持孔５７と同心に配した形態で、載置台５５の上面に固定されるようになっている。
【００３１】
インバータ側コネクタ６０をインバータケース５０（装着ケース５２）に対してフローティング状態で装着する手順の一例は、以下のとおりである。
図９に示すように、雌ハウジング８０の上端部にブラケット７５を先に嵌めてフランジ８５で受けた状態から、上記したようにガイド部材９０を含めてインバータ側コネクタ６０が組み立てられ、これがサブアッシイ６０Ａとされる。このサブアッシイ６０Ａの形態で装着現場に搬入されるが、サブアッシイ６０Ａでは、既に雌ハウジング８０の後端にガイド部材９０が装着されて、ブラケット７５がフランジ８５とガイド部材９０の間で挟まれた状態にあるから、搬入時においてブラケット７５が雌ハウジング８０から外れることが防止される。
【００３２】
装着現場では、図９の矢線に示すように、サブアッシイ６０Ａにおける雌ハウジング８０が載置台５５の支持孔５７に上方から挿通され、図１０に示すように、フランジ８５が支持孔５７における小径孔５８Ａの孔縁で受けられて支持される。それとともに、ブラケット７５が、雌ハウジング８０の上端部を係止孔７６に挿通した状態で載置台５５の上面に重ねられて、ねじ７８で止められて固定され、フランジ８５が係止孔７６の孔縁に係止されて雌ハウジング８０の上方への抜け止めがなされる。
【００３３】
これにより雌ハウジング８０は、その上端部を載置台５５の支持孔５７からブラケット７５の係止孔７６に亘って貫通させた形態において、主にフランジ８５と大径孔５８Ｂとの間のクリアランスに相当する分、径方向に遊動可能に支持された状態となり、すなわち装着ケース５２に対してフローティング状態で装着される。したがって、装着ケース５２に設けられた載置台５５の支持孔５７と、載置台５５上に固定されたブラケット７５の係止孔７６とによって、インバータ側コネクタ６０を径方向の遊動可能に貫通した形態で支持する取付孔７９が構成されている。
【００３４】
本実施形態では、一部既述したようにインバータケース５０をモータケース１０上に載置して結合することに伴い、モータ側コネクタ３０とインバータ側コネクタ６０とが嵌合されるようになっており、以下その構造について説明する。
装着ケース５２の底面における載置台５５の側方には、図４に示すように、締結ボルト１００を吊り下げて軸線回りの回転可能に支持する台座１１０が形成されている。台座１１０は、下面が開放された形態で載置台５５の略中央高さ位置まで立ち上がり形成されている。台座１１０に吊り下げ支持された締結ボルト１００における雄ねじ部の下端は、装着ケース５２の底面５２Ａから所定寸法突出し、モータケース１０の上面に固定されたシールドシェル２０に設けられた雌ねじ台２４のねじ孔２５に螺合可能となっている。
【００３５】
モータケース１０上にインバータケース５０を載置するに当たって所定位置に載置できるように、図示しない位置決め機構が設けられており、インバータケース５０がモータケース１０と正規に位置決めされて対向した場合には、インバータ側コネクタ６０とモータ側コネクタ３０同士が同一軸線上で対向し、また締結ボルト１００と雌ねじ台２４のねじ孔２５とが同一軸線上で対向する設定となっている。
また、インバータケース５０における本体ケース５１の底面と、モータケース１０の上面との間が、図示しない補助ボルトにより複数箇所において締結できるようになっている。
【００３６】
本実施形態は上記のような構造であって、続いてその作用を説明する。
モータ側では、図３及び図６に示すように、モータ側コネクタ３０が、シールドシェル２０の各保持孔２１内に第２軸シール４４を介して水密に嵌着された形態で保持される。このシールドシェル２０が、各雄ハウジング３５の下端部を、モータケース１０の上面に開口された対応する取付孔１１に嵌合しつつ同モータケース１０上に載せられ、シールドシェル２０に開口されたボルト挿通孔２６にボルト２７を通して、モータケース１０のねじ孔にねじ込むことで固定される。これにより、モータ側コネクタ３０は、モータケース１０の上面において固定的に装着される。
また、シールドシェル２０を固定することに伴い、保持孔２１の段差部２１Ｃが、各雄ハウジング３５の下フランジ４２を押圧し、その下面に配された面シール４５が取付孔１１の上側の孔縁の外周に弾縮して押し付けられてシールされる。
【００３７】
一方、インバータ側では、インバータ側コネクタ６０が、インバータケース５０の装着ケース５２に設けられた載置台５５の取付孔７９に径方向の遊動可能に貫通した形態で支持され、すなわちフローティング状態で装着される。このとき、３本のインバータ側端子７０について、左右両側のインバータ側端子７０の編組線７３が外側に屈曲されつつ、ＢＡ端子７２のピッチが広げられた状態にある。
それとともに、締結ボルト１００が台座１１０に対して回転可能に吊り下げ支持される。
【００３８】
インバータ側コネクタ６０を対応するモータ側コネクタ３０に嵌合する場合は、以下のようにして行う。
図６に示す状態から、インバータケース５０が、位置決め機構により位置決めされてモータケース１０上に降ろされ、図１０に示すように、インバータ側コネクタ６０がモータ側コネクタ３０に対して嵌合を開始する。ここでインバータ側コネクタ６０とモータ側コネクタ３０とが心ずれしていたとしても、インバータ側コネクタ６０はフローティング状態で支持されているから、インバータ側コネクタ６０が径方向に遊動しつつ心合わせされ、両コネクタ３０，６０は正規にスムーズに嵌合される。
【００３９】
図１１に示すように、インバータ側コネクタ６０が対向するモータ側コネクタ３０に所定量嵌合されたところで、締結ボルト１００の雄ねじ部の先端が、シールドシェル２０の雌ねじ台２４に切られたねじ孔２５の入口に臨む。
続いて、トルクレンチ等の工具により締結ボルト１００がねじ孔２５にねじ込まれ、その際の倍力機能によって、図１２に示すように、装着ケース５２を含むインバータケース５０がモータケース１０の上面に引き寄せられ、併せてインバータ側コネクタ６０がモータ側コネクタ３０に次第に嵌合される。
【００４０】
図１３に示すように、インバータケース５０の本体ケース５１がモータケース１０の上面に当たったところで締結ボルト１００の締め込みが停止され、続いて補助ボルトによって、本体ケース５１がモータケース１０の上面に当てられた状態に固定される。
ここで、インバータ側コネクタ６０とモータ側コネクタ３０とが正規に嵌合した状態となり、また、モータ側コネクタ３０の雄ハウジング３５に嵌着された第１軸シール４７が、載置台５５の嵌合凹部５５Ａの内周に密着してシールした状態も維持される。
【００４１】
これにより、インバータケース５０をモータケース１０上に載置して結合することに伴い、モータ側コネクタ３０とインバータ側コネクタ６０とを嵌合する作業が完了する。
モータケース１０内では、モータ側コネクタ３０の端子台３７において、各モータ側端子３１の接続板部３２に、モータの入力端子が当てられてボルト締めにより接続される。一方、インバータケース５０内では、各インバータ側端子７０のＢＡ端子７２が、図示しない端子台を利用してインバータの出力端子とねじ止めにより接続される。
【００４２】
本実施形態のインバータ側コネクタ６０によれば、以下のような効果を得ることができる。
インバータ側端子７０が雌ハウジング８０に装着された際、編組線７３における雌端子７１との接続端側の外周がガイド部材９０の挿通孔９３に嵌って拘束されることにより、編組線７３全体が不必要に傾倒変形する等が抑制され、ひいては同インバータ側端子７０におけるＢＡ端子７２の変位が抑制される。その結果、ＢＡ端子７２は、インバータケース５０内の所定位置に設けられた端子台と整合した位置に配され、ＢＡ端子７２を端子台においてインバータの出力端子とねじ止めにより接続する作業を能率良く行うことができる。
【００４３】
この実施形態では、図９等に示すように、３本のインバータ側端子７０について、雌端子７１よりもＢＡ端子７２の方が大きいピッチで配設されるようになっており、そのため左右両端の２本のインバータ側端子７０では、それぞれの編組線７３が、ガイド部材９０の挿通孔９３の出口部分で左側または右側に屈曲されたのち、偏心位置で上方に延びた形態に形成される。その際、両端の挿通孔９３にはテーパ面９４が形成されているから、編組線７３は挿通孔９３の内面と干渉することなく上記の屈曲が許容される。
【００４４】
この実施形態では、インバータ側コネクタ６０をインバータケース５０（装着ケース５２）に対してフローティング状態で装着するに当たっては、以下のような手順が踏まれる。図９に示すように、雌ハウジング８０の上端部にブラケット７５を先に嵌めた状態から、インバータ側コネクタ６０が組み立てられることでサブアッシイ６０Ａが形成され、このサブアッシイ６０Ａが装着現場に搬入されて、同図の矢線に示すように、載置台５５の支持孔５７に挿入されて支持され、そののちブラケット７５が載置台５５に固定される。
雌ハウジング８０の後端にガイド部材９０が装着されていることにより、サブアッシイ６０Ａの搬送中にブラケット７５が外れることを防止できる。
【００４５】
ガイド部材９０は、一対の分割ガイド体９１Ａ，９１Ｂを組み立てて形成されるようになっており、そのためインバータ側端子７０に先通しすることなく後から一体化すればよいから、インバータ側コネクタ６０の組立作業自体が簡易化される。
【００４６】
＜他の実施形態＞
本明細書によって開示される技術は上記記述及び図面によって説明した実施形態に限定されるものではなく、例えば次のような種々の態様も含まれる。
（１）上記実施形態では、ハウジングに装着される端子金具の本数が３本の場合を例示したが、１本も含めて任意の本数であってよい。
（２）端子金具に設けられる可撓性導電部材としては、上記実施形態に例示した編組線に限らず、剥き出しの撚り線等の他の部材を採用してもよい。
【００４７】
（３）本発明は、上記実施形態に例示したケース同士を重ねて結合することに伴いハウジング同士を嵌合するものに限らず、例えばケースに設けたハウジングに対して先に相手側ハウジングを嵌合し、そののち同相手側ハウジングを相手側ケースに装着する形式のものにも、本発明は同様に適用可能である。
（４）上記実施形態では、機器用コネクタとしてインバータ側コネクタを例示したが、インバータ以外の電子機器のケースに装着される機器用コネクタ全般について、広く適用することができる。
【符号の説明】
【００４８】
５０…インバータケース（ケース）
５２…装着ケース
５５…載置台
５６…天井壁（壁部）
５７…支持孔（段付孔）
６０…インバータ側コネクタ（機器用コネクタ）
６０Ａ…サブアッシイ
７０…インバータ側端子（端子金具）
７１…雌端子（第１接続部）
７２…ＢＡ端子（第２接続部）
７３…編組線（可撓性導電部材）
７５…ブラケット（係止板）
７６…係止孔
７９…取付孔
８０…雌ハウジング（ハウジング）
８１…キャビティ
８５…フランジ
９０…ガイド部材
９１Ａ，９１Ｂ…分割ガイド体
９３…挿通孔
９４…テーパ面（逃がし面）
【図１】
0006319633.tif 000002
【図２】
0006319633.tif 000003
【図３】
0006319633.tif 000004
【図４】
0006319633.tif 000005
【図５】
0006319633.tif 000006
【図６】
0006319633.tif 000007
【図７】
0006319633.tif 000008
【図８】
0006319633.tif 000009
【図９】
0006319633.tif 000010
【図１０】
0006319633.tif 000011
【図１１】
0006319633.tif 000012
【図１２】
0006319633.tif 000013
【図１３】
0006319633.tif 000014